(57)【要約】【課題】  警備システムのオン、オフ条件をドアロック装置の開閉に関連付けるため、施錠状態を確実に認識し得るような表示を行うドア用ロック装置の施錠状態表示用装置を提供すること。【解決手段】  警備システムが設けられた建物のドア用ロック装置において、前記ドア用ロック装置におけるデッドボルトを出没操作するためのサムターンの回動位置を検出する位置検出手段と、前記位置検出手段に接続され、前記サムターンの回動位置が変化したことを検知したとき所定の音声を発する音声装置とをそなえ、前記サムターンの操作が行われたときに音声表示することを特徴とするドア用ロック装置の施錠状態表示用装置。【選択図】  図１
0003110633.tif 000002
【実用新案登録請求の範囲】
【請求項１】
警備システムが設けられた建物のドア用ロック装置において、
前記ドア用ロック装置におけるデッドボルトを出没操作するためのサムターンの回動位置を検出する位置検出手段と、
前記位置検出手段に接続され、前記サムターンの回動位置が変化したことを検知したとき所定の音声を発する音声装置とをそなえ、
前記サムターンの操作が行われたときに音声表示することを特徴とするドア用ロック装置の施錠状態表示用装置。
【請求項２】
請求項１記載のドア用ロック装置の施錠状態表示用装置において、
前記位置検出手段は、前記サムターンの近傍位置に配され、前記サムターンがどのような操作位置にあるかに応じてオン、オフするスイッチであり、
前記スイッチのオン、オフによって前記ドアロック装置の施錠または解錠状態を音声表示するようにしたことを特徴とするドア用ロック装置の施錠状態表示用装置。
【請求項３】
請求項１記載のドア用ロック装置の施錠状態表示用装置において、
前記サムターンに装着されるアダプタであって、その外表面に前記スイッチを作動させるための凹凸を有するものをそなえたことを特徴とするドア用ロック装置の施錠状態表示用装置。
【請求項４】
請求項４記載のドア用ロック装置の施錠状態表示用装置において、
前記スイッチを作動させるための凹凸は、前記アダプタの外周から突出したものであるドア用ロック装置の施錠状態表示用装置。
【考案の詳細な説明】
【技術分野】
【０００１】
本考案は、ドア用ロック装置に係り、とくに機械式警備システムを利用する上で警備システムの作動点検条件を与えるドアロック装置に関する。
【背景技術】
【０００２】
機械警備システムを利用した警備方式では、例えば会社が無人になるときに警備システムを作動させて機械による警備状態とし、従業員が出社したら作動停止させる。そのため、全員退社時に警備システムの作動スイッチをオンにして室内を機械警備下に置き、誰かが出社した際に作動スイッチをオフにする。
【考案の開示】
【考案が解決しようとする課題】
【０００３】
しかしながら、実際の警備状況では、想定外の事態が生じる。すなわち、ときに社員が警備システムをオフにせずに入室した結果、警備システムは異常があるものとして警報を発し、警備会社の待機要員が無用の出動をするというもので、このようなことが時折起きる。
【０００４】
本考案は上述の点を考慮してなされたもので、警備システムのオン、オフ条件をドアロック装置の開閉に関連付けるため、施錠状態を確実に認識し得るような表示を行うドア用ロック装置の施錠状態表示用装置を提供することを目的とする。
【課題を解決するための手段】
【０００５】
上記目的達成のため、本考案では、
警備システムが設けられた建物のドア用ロック装置において、
前記ドア用ロック装置におけるデッドボルトを出没操作するためのサムターンの回動位置を検出する位置検出手段と、
前記位置検出手段に接続され、前記サムターンの回動位置が変化したことを検知したとき所定の音声を発する音声装置とをそなえ、
前記サムターンの操作が行われたときに音声表示することを特徴とするドア用ロック装置の施錠状態表示用装置、
を提供するものである。
【考案の効果】
【０００６】
本考案は上述のように、ドアロック装置の施錠状態／解錠状態に応じた音声表示を行うようにしたため、入退室のためドアロック装置を施錠、解錠した人は警備システムに対する注意が喚起され、警備システムを確実にオン、またはオフさせて無用な警報作動を防止することができる。
【考案を実施するための最良の形態】
【０００７】
以下、添付図面を参照して本考案の実施例を説明する。
【実施例１】
【０００８】
図１は、本考案の適用対象であるドアロック装置における、ドア枠の構造を示したものである。ドア枠１００に設けられたストライクボックス１１０は、ドア(図示せず)との対向面に、ストライク板１１１が止めネジ１１２により固定されている。
【０００９】
図２は、本考案の一実施例が図１に示したドア枠１００に組み合わされたドア２００に実装されている状態を示したものである。このドア２００におけるロック装置は、一般の建物で汎用されているサムターン付きシリンダ錠である。すなわち、レバーハンドル２０１の操作によりラッチボルト２０２を出没させて、図1に示される、ストライクボックス１１０のストライク板１１１と係合させ、あるいは係合解除させる。また、シリンダ錠の鍵穴に鍵を差し込んで操作することにより、デッドボルト２１２を出没させてストライク板１１１と係合させ、あるいは係合解除させる。
【００１０】
レバーハンドル２０１の上方には、サムターン２１１が設けられており、このサムターン２１１を反時計方向に回動操作するとデッドボルト２１２が突出してストライク板と係合し、時計方向に回動操作するとデッドボルト２１２がドア２００内に没してストライク板１１１との係合を解除する。
【００１１】
スイッチ３０１は、音声発生装置３００の本体３０２から下方に突出してサムターン２１１の外周に当接するように配されている。スイッチ３０１の電気的開閉要素は本体３０２の内部に収容されており、その開閉により音声発生装置３００を作動停止させ、また作動させるように接続されている。
【００１２】
そして、スイッチ３０１がオン、オフされることに応じて音声発生装置３００が異なる音声を発生する。例えば、サムターン２１１が時計方向に回動してスイッチ３０１がオン状態になったときは、例えば「警備システムをオフにしてください。」とのアナウンスが、またサムターン２１１が反時計方向に回動してスイッチ３０１がオフ状態になったときは、例えば「室内に誰も残っていませんか?」とのアナウンスが流れる。
【００１３】
これにより、ドアロック装置を操作した人は、警備システムをオンまたはオフすべきことに気付き、必要な確認を行うことになる。
【実施例２】
【００１４】
図３は、本考案の実施例２に用いるアダプタ２２０の構造を示したものである。アダプタ２２０は、デッドボルト２１２（図２）を出没させるために、回動操作するサムターン２１１に装着されるものであり、ドアの内面と平行な面に指懸け用突条２２１が設けられている。
【００１５】
そして、このアダプタ２２０には、サムターン２１１の回動操作によって音声発生装置３００をオン、オフさせるべく、音声発生装置３００に設けられたスイッチ３０１を作動させるための突起２２２が、周面に設けられている。
【実施例３】
【００１６】
上記実施例１，２では、デッドボルトによりスイッチを作動させて音声を発することとしているが、光を発生させるようにしてもよい。
【図面の簡単な説明】
【００１７】
【図１】本考案の適用対象であるドアロック装置にストライクボックスを示す説明図。
【図２】本考案の一実施例を示す説明図。
【図３】本考案の他の実施例に用いるアダプタの構造を示す説明図。
【符号の説明】
【００１８】
１００  ドア枠、１１０  ストライクボックス、１１１  ストライク板、
１１２  止めネジ、２００  ドア、２０１  ハンドル、２０２  ラッチボルト、
２１１  サムターン、２１２  デッドボルト、２２０  アダプタ、
２２１  指掛け用突条、２２２  スイッチ作動用突起、３００  音声発生装置、
３０１  スイッチ、３０２  音声発生装置本体。
【図１】
0003110633.tif 000003
【図２】
0003110633.tif 000004
【図３】
0003110633.tif 000005